(57)【要約】【課題】コネクタのオス型コネクタのハウジングとメス型コネクタのハウジングとの嵌合が完全に行われていることを検知することができる電気コネクタ組立体を提供することを目的とする。【解決手段】プリント配線板と電線１００とを電気的に接続するコネクタ１０であって、プリント配線板に固定されるリセプタクルコネクタ２０と、リセプタクルコネクタ２０に嵌合されるプラグコネクタ３０と、プラグコネクタ３０に保持された、リセプタクルコネクタ２０とプラグコネクタ３０との嵌合が完全な場合にのみリセプタクルコネクタ２０に設けられた所定領域に移動可能な摺動部材６０と、を備えることを特徴とする。【選択図】図７
2008192517.tif 000002
【特許請求の範囲】
【請求項１】
プリント配線板と電線とを電気的に接続する電気コネクタ組立体であって、
前記プリント配線板に固定される第一のハウジングと、
前記第一のハウジングに嵌合される第二のハウジングと、
前記第一のハウジングに保持され、前記プリント配線板に電気的に接続される第一のコンタクトと、
前記第二のハウジングに保持され、前記第一のコンタクトおよび前記電線に接続される第二のコンタクトと、
前記第一のハウジングと前記第二のハウジングとの嵌合が完全な場合にのみ前記第一のハウジングおよび前記第二のハウジングのいずれか一方に設けられた所定領域に移動可能な検知体と、
前記第一のハウジングと前記第二のハウジングとの嵌合が不完全な場合に前記検知体の移動進路上にあって、前記検知体が前記所定領域へ移動するのを阻止する移動阻止部材と、を備え、
前記第一のハウジングと前記第二のハウジングとの嵌合が完全になる過程で、前記移動阻止部材が変位して、前記検知体の移動進路から退避することを特徴とする電気コネクタ組立体。
【請求項２】
前記検知体は、前記第二のハウジングに摺動可能に保持された摺動部材からなり、
前記移動阻止部材は、前記第一のハウジングに配設され、かつ前記第二のハウジングの挿抜方向に平行に立設するビーム部と、前記ビーム部に連設され、かつ前記挿抜方向と所定の角度をなす傾斜面を有する押圧部と、前記ビーム部に連接され、かつ前記押圧部が形成された側の反対側に突出する検知体係止部と、から構成され、
前記第二のハウジングが前記第一のハウジングに完全に嵌合する過程で、前記押圧部の前記傾斜面が前記第一のハウジングから押圧力を受け、
前記押圧部が形成された側に前記ビーム部が撓むことにより、前記検知体係止部が変位することを特徴とする請求項１に記載の電気コネクタ組立体。
【請求項３】
前記第一のハウジングを前記プリント配線板に固定する固定部材を有し、前記移動阻止部材が、前記固定部材と一体に形成されていることを特徴とする請求項１に記載の電気コネクタ組立体。
【請求項４】
前記第一のハウジングと前記第二のハウジングとの嵌合が完全な場合に、前記検知体が前記所定領域に位置合わせされることによって、前記検知体が前記所定領域に移動可能であることを特徴とする請求項１に記載の電気コネクタ組立体。
【発明の詳細な説明】
【技術分野】
【０００１】
本発明は、プリント配線板と電線とを電気的に接続する電気コネクタ組立体に関し、特にコネクタの不完全な嵌合を検知できる電気コネクタ組立体に関する。
【背景技術】
【０００２】
電気コネクタ（以下、単にコネクタと称する）の組立体を構成するオス型コネクタとメス型コネクタとを嵌合させる際には、オス型コネクタのコンタクトとメス型コネクタのコンタクトとを、確実に電気的に接続させる必要がある。そこで、オス型コネクタのハウジングとメス型コネクタのハウジングの一方に突起を形成し、オス型コネクタのハウジングとメス型コネクタのハウジングの他方に係合爪を形成し、これら突起と係合爪とを係合させることで、オス型コネクタのハウジングとメス型コネクタとのハウジングの嵌合状態を維持する機構が広く用いられている（例えば、特許文献１参照）。
このような機構を有するコネクタ組立体においては、作業者は、一方のハウジングを他方のハウジングに押し込んでいき、突起と係合爪とが係合するときの手応え、さらには音によって、オス型コネクタとメス型コネクタとを完全に嵌合できたことを認識できる。
【０００３】
【特許文献１】特開２００１−６８２０９号公報
【発明の開示】
【発明が解決しようとする課題】
【０００４】
近年、携帯型通信端末をはじめとする各種機器の小型化にともない、コネクタにも小型化が要求されている。コネクタの小型化が進んだ結果、前述した各種機器の製造や修理等を行う現場において、コネクタ組立体のオス型コネクタとメス型コネクタとを確実に接続できない、という不具合が生じた。
オス型コネクタとメス型コネクタとの嵌合・分離作業は作業者の指先によって行われるので、オス型コネクタ、メス型コネクタが作業者の指先よりも小さい場合は、オス型コネクタとメス型コネクタとを嵌合・分離させるための作業自体が難しくなる。また、コネクタ組立体の小型化にともなって突起と係合爪も小さくなり、これらが係合するときの手応えを作業者が指先によって得にくくなることも想定される。
コネクタ組立体のオス型コネクタとメス型コネクタとの嵌合が不完全な場合にも、コンタクトどうしの電気的な接続が一応確立されてしまう。ところが、その後の輸送時の振動などにより、オス型コネクタとメス型コネクタとが分離して、コネクタどうしの電気的な接続が解かれることがある。このため、小型なコネクタ組立体であっても、オス型コネクタとメス型コネクタとを完全に嵌合させ、コンタクトどうしを確実に接続できる機構が要求されている。
【０００５】
本発明は、このような技術的課題に基づいてなされたもので、小型のコネクタ組立体のオス型コネクタとメス型コネクタとの嵌合が完全に行われていることを容易に検知することができる電気コネクタ組立体を提供することを目的とする。
【課題を解決するための手段】
【０００６】
かかる目的のもとになされた本発明の電気コネクタ組立体は、プリント配線板と電線とを電気的に接続する電気コネクタ組立体であって、プリント配線板に固定される第一のハウジングと、第一のハウジングに嵌合される第二のハウジングと、第一のハウジングに保持され、プリント配線板に電気的に接続される第一のコンタクトと、第二のハウジングに保持され、第一のコンタクトおよび電線に接続される第二のコンタクトと、第一のハウジングと第二のハウジングとの嵌合が完全な場合にのみ第一のハウジングおよび第二のハウジングのいずれか一方に設けられた所定領域に移動可能な検知体と、第一のハウジングと第二のハウジングとの嵌合が不完全な場合に検知体の移動進路上にあって、検知体が所定領域へ移動するのを阻止する移動阻止部材と、を備え、さらに、第一のハウジングと第二のハウジングとの嵌合が完全になる過程で、移動阻止部材が変位して、検知体の移動進路から退避することを特徴とする。
本発明による電気コネクタ組立体は、第一のハウジングと第二のハウジングとが完全に嵌合されると、第一のコンタクトと第二のコンタクトとを電気的に接続することができ、これら第一のコンタクトおよび第二のコンタクトを介して、プリント配線板と電線とが電気的に接続される。
本発明の電気コネクタ組立体において、第一のハウジングと第二のハウジングとの嵌合が不完全な場合には、検知体が所定領域に移動することができない。また、第一のハウジングと第二のハウジングとの嵌合が完全な場合に検知体が所定領域に移動できる。このように、検知体の移動可否によって、嵌合の状態を把握することができるので、電気コネクタ組立体が小型であっても、嵌合が完全に行われているか否かを容易に検知することができる。
【０００７】
本発明の電気コネクタ組立体において、検知体は、第二のハウジングに摺動可能に保持された摺動部材からなり、移動阻止部材は、第一のハウジングに配設され、かつ第二のハウジングの挿抜方向に平行に立設するビーム部と、ビーム部に連設され、かつ挿抜方向と所定の角度をなす傾斜面を有する押圧部と、ビーム部に連接され、かつ押圧部が形成された側の反対側に突出する検知体係止部と、から構成され、第二のハウジングが第一のハウジングに完全に嵌合する過程で、押圧部の傾斜面が第一のハウジングから押圧力を受け、押圧部が形成された側にビーム部が撓むことにより、検知体係止部が変位するものにできる。この電気コネクタ組立体は、ビーム部の弾性を利用して検知体係止部を変位させることにより、検知体の移動進路から検知体係止部を退避させることができる。つまり、第一のハウジングの嵌合操作以外に特別な操作を行うことなく、検知体の移動進路から検知体係止部を退避させることができる。
通常、電気コネクタ組立体は、第一のハウジングをプリント配線板に固定する固定部材を有しているが、移動阻止部材を、固定部材と一体に形成すれば、独立した別個の移動阻止部材を作製する必要がない。
【０００８】
また、本発明の電気コネクタ組立体の別の態様として、第一のハウジングと第二のハウジングとの嵌合が完全な場合にのみ、検知体が所定領域に位置合わせされることによって、検知体が所定領域に移動可能なものとすることができる。この電気コネクタ組立体は、前述した移動阻止部材を作製する必要がない利点がある。
【０００９】
検知体としては、第一のハウジングおよび第二のハウジングのいずれか一方に摺動可能に保持された摺動部材とすることができる。また、検知体としては、第一のハウジングおよび第二のハウジングのいずれか一方に回転可能に保持された回転部材とすることもできる。
なお、本発明において、「電線」という概念には、ＦＦＣ（Flexible Flat Cable）やＦＰＣ（Flexible Print Cable）等までを含むものとする。
【発明の効果】
【００１０】
本発明によれば、検知体を備えることで、小型の電気コネクタ組立体であっても、第一のハウジングと第二のハウジングとの嵌合が完全であるか、または不完全であるかを検知することができる。この検知の結果に基づいて、作業者は、第一のハウジングと第二のハウジングとを完全に嵌合させるように作業する。
【発明を実施するための最良の形態】
【００１１】
＜第１の実施形態＞
以下、添付図面に示す実施の形態に基づいてこの発明を詳細に説明する。
図１は、本実施の形態におけるコネクタ１０の構成を示す図であり、リセプタクルコネクタとプラグコネクタとを嵌合する前の状態を示す断面図である。また、図２はリセプタクルコネクタ（リセプタクルハウジング）を示す斜視図、図３はペグを示す斜視図、図４はプラグハウジングを示す斜視図、図５はプラグハウジングに保持されるコンタクトを示す斜視図、図６はプラグハウジングに保持される摺動部材を示す斜視図である。
【００１２】
図１に示すように、コネクタ（電気コネクタ組立体）１０は、プリント配線板１１側に固定されるリセプタクルコネクタ２０と、このリセプタクルコネクタ２０に嵌合されるプラグコネクタ３０とを備えている。以下では、リセプタクルコネクタ２０のプリント配線板１１側を下方、プラグコネクタ３０側を上方として説明する。また、プラグコネクタ３０の電線１００が引き出される側を前方、その反対側を後方として説明する。
【００１３】
リセプタクルコネクタ２０は、樹脂製のリセプタクルハウジング（第一のハウジング）２１と、銅系材料等の導電性材料から形成されたコンタクト（第一のコンタクト）２２と、銅系材料等の弾性材料から形成されたペグ２８とから構成される。
【００１４】
図２に示すように、リセプタクルハウジング２１は、その外側面に設けられたペグ２８によってプリント配線板１１に固定される。このペグ２８は、リセプタクルハウジング２１をプリント配線板１１に固定するのみならず、後述する摺動部材（検知体）６０のスライド移動を制御する機能を有している。この点について、後述する。
リセプタクルハウジング２１の上面側には、プラグコネクタ３０を嵌合するための凹部２３が形成されている。このリセプタクルハウジング２１に、複数のコンタクト２２が保持されている。複数のコンタクト２２は、互いに間隔を隔てて配列されている。このために、図１に示すように、リセプタクルハウジング２１の下面側に、コンタクト２２を固定するための固定溝２４および固定凹部２５が形成されている。さらに、コンタクト２２のコンタクトビーム２２ａ、２２ｂを凹部２３に通すための挿通孔２６がリセプタクルハウジング２１の下面側から凹部２３内に向けて形成されている。また、凹部２３の内側面には、コンタクト２２のコンタクトビーム２２ａ、２２ｂを収容する溝２３ａが、それぞれのコンタクト２２に対応する位置に形成されている。
リセプタクルハウジング２１の後方には、ペグ２８の一部を収容するための収容孔２７が形成されている。この収容孔２７は、リセプタクルハウジング２１の幅方向の両端に形成されている。また、この収容孔２７の間には、後述する摺動部材６０のガイド部６２が挿入される挿通孔２９が上下方向に形成されている。
【００１５】
コンタクト２２は、銅合金等の導電性材料からなる薄板を打ち抜き加工（stamping）することで形成されている。
このコンタクト２２は、予め定められた間隔を隔てて対向する一対のコンタクトビーム２２ａ、２２ｂを備えている。コンタクトビーム２２ａ、２２ｂは、ベース部２２ｃの両端から上方に向けて延びている。したがって、コンタクト２２は、略Ｕ字状の形状を有している。また、ベース部２２ｃの一端側には接続部２２ｄが形成されている。この接続部２２ｄは、コンタクト２２がリセプタクルハウジング２１に装着された状態でコンタクト２２とプリント配線板１１の導電パターン部（図示無し）とが電気的に接続されるよう、リセプタクルハウジング２１の下面とほぼ同一面内に形成されている。さらに、ベース部２２ｃには、互いに対向するコンタクトビーム２２ａ、２２ｂの外側に、リセプタクルハウジング２１の固定凹部２５に挿入される突起２２ｅ、２２ｆが形成されている。
【００１６】
コンタクト２２は、ベース部２２ｃがリセプタクルハウジング２１の下面の固定溝２４内に位置した状態で、突起２２ｅ、２２ｆがリセプタクルハウジング２１の固定凹部２５に圧入されることでリセプタクルハウジング２１に固定されている。
コンタクト２２のコンタクトビーム２２ａ、２２ｂは、コンタクト２２が上記のようにしてリセプタクルハウジング２１に保持された状態で、凹部２３内において上方に向けて突出している。また、コンタクトビーム２２ａ、２２ｂは、凹部２３の内壁面に形成された溝２３ａ内に位置している。
【００１７】
図３に示すようにペグ２８は、配線板固定部２８ａと検知体制御部２８ｂとから構成される。ペグ２８は、銅合金等の弾性材料からなる薄板を打ち抜き加工し、さらに曲げ加工により形成されている。
配線板固定部２８ａは、ベース部２８１ａとベース部２８１ａの下端から屈曲する固定片２８２ａとから構成されている。ベース部２８１ａには、固定溝２８３ａが形成されている。リセプタクルハウジング２１の係合突起２１ａと固定溝２８３ａとが嵌合されることにより、ペグ２８はリセプタクルハウジング２１に固定される。また、固定片２８２ａをプリント配線板１１にはんだ付けすることにより、リセプタクルハウジング２１をプリント配線板１１に固定することができる。
【００１８】
検知体制御部２８ｂ（移動阻止部材）は、ビーム部２８１ｂと、係止突起２８２ｂと、押圧部２８３ｂとから構成される。係止突起２８２ｂは、押圧部２８３ｂが形成された側の反対側に突出する。
検知体制御部２８ｂは、リセプタクルハウジング２１の収容孔２７内の所定位置に配置される。ビーム部２８１ｂは、その下端で配線板固定部２８ａのベース部２８１ａと繋がっている。そのために、ビーム部２８１ｂは、その下端を固定端とする片持ち梁を構成する。ビーム部２８１ｂの先端に位置する押圧部２８３ｂは、ビーム部２８１ｂと所定の角度をなす傾斜面を有している。つまり、押圧部２８３ｂの傾斜面がビーム部２８１ｂと所定の角度をなしている。したがって、押圧部２８３ｂがビーム部２８１ｂと平行な向きに力を受けたとすると、その力は、前記平行な向きの成分と、当該平行な向きと直交する向きの成分とに分配される。このように、押圧部２８３ｂは、力の方向を分配する機能を有する部材である。この直交する向きの成分により、ビーム部２８１ｂは、矢印の向き、つまりリセプタクルハウジング２１の幅方向の中央に向けて撓む。ビーム部２８１ｂが撓むことにより、係止突起２８２ｂが撓みの向きに変位し、摺動部材６０の移動を許容する。
検知体制御部２８ｂは、配線板固定部２８ａと一体的に形成されているので、独立した別個の部材を作製する必要がない利点がある。
【００１９】
プラグコネクタ３０は、リセプタクルハウジング２１に嵌合する樹脂製のプラグハウジング（第二のハウジング）３１と、銅合金等の導電性材料からなるコンタクト（第二のコンタクト）３２とから構成されている。
図４に示すように、プラグハウジング３１には、その下面側に、リセプタクルハウジング２１の凹部２３に挿入される凸部３３が形成されている。プラグハウジング３１には、リセプタクルコネクタ２０の複数のコンタクト２２に対応して、互いに間隔を隔てて配列された複数のコンタクト３２が保持されている。
【００２０】
図５に示すように、コンタクト３２は、電線１００に圧着されるバレル部３４と、バレル部３４に連続し、バレル部３４に直交して下方に延びるプレート部３５とを有し、略Ｌ字状の形状とされている。バレル部３４は、電線１００の芯線に圧着されるワイヤバレル３４ａと、電線１００の被覆に圧着されるインシュレーションバレル３４ｂとを有する。そして、プレート部３５の下部に、コンタクト部３２ａ、３２ｂがプレート部３５に直交して形成されている。
図１に示すように、コンタクト３２は、プラグハウジング３１に形成されたキャビティ３６に収容される。コンタクト部３２ａ、３２ｂは、プラグハウジング３１の凸部３３の側面に形成された開口から露出している。ここで、コンタクト３２をプラグハウジング３１に保持する方法は、図１に示すように、コンタクト３２に形成したランス３２ｃを用い、コンタクト３２をプラグハウジング３１に係合させても良いし、圧入やモールド等の手法を用いても良い。
ここで、コンタクト３２は、コンタクト２２に電気的に接続できるのであればいかなる構成であっても良いが、本実施の形態においては、図１に示すように、コンタクト３２に接続される電線１００が、リセプタクルハウジング２１へのプラグハウジング３１の挿抜方向に対し、直交する方向に延びるように配置された構成のコンタクト３２を例示している。
【００２１】
このようなプラグコネクタ３０は、プラグハウジング３１の凸部３３をリセプタクルハウジング２１の凹部２３に挿入することでリセプタクルコネクタ２０に嵌合される。嵌合が完全になされると、プラグコネクタ３０側のコンタクト３２のコンタクト部３２ａ、３２ｂが、リセプタクルハウジング２１の凹部２３内に位置するコンタクト２２のコンタクトビーム２２ａ、２２ｂに電気的に接続される。
【００２２】
プラグハウジング３１とリセプタクルハウジング２１との嵌合状態を維持するために、リセプタクルハウジング２１の後端には係合突起４１が形成されている。この係合突起４１と係合する係合爪は、プラグハウジング３１に保持される摺動部材６０に設けてある。
【００２３】
プラグハウジング３１とリセプタクルハウジング２１との嵌合が完全に行われたことを検知するため、コネクタ１０は、さらに、図６に示す摺動部材６０を備えている。
摺動部材６０は、ベース部６１と、一対の柱状のガイド部６２と、偏平状のガイド部６３と、ロックプレート部６４とが一体に形成されている。
ベース部６１には、所定の間隔を隔てて、挿通孔６６が形成されている。この挿通孔６６には、後述するプラグハウジング３１に形成されているガイドコラム部５３が挿入される。
ガイド部６２およびガイド部６３は、摺動部材６０がプラグハウジング３１に保持された状態でベース部６１から下方に向くように取り付けられている。摺動部材６０がプラグハウジング３１に取り付けられる際に、ガイド部６３は、プラグハウジング３１のガイド収容孔５２に挿入される。また、摺動部材６０がプラグハウジング３１に保持される際に、ガイド部６２は、プラグハウジング３１の摺動部材保持部５１の幅方向の両端と摺動する。これにより、摺動部材６０は、プラグハウジング３１の適正な位置に案内される。
ロックプレート部６４も同様に、摺動部材６０がプラグハウジング３１に保持された状態でベース部６１から下方に向けて形成されている。ロックプレート部６４は、ガイド部６３に平行に配置されている。ロックプレート部６４は、その下端がガイド部６３に接近または離間する方向に弾性変位可能である。また、ロックプレート部６４の下端には、ガイド部６３に向けて突出する係合爪６５が形成されている。この係合爪６５は、リセプタクルハウジング２１の係合突起４１と係合される。
【００２４】
摺動部材６０はプラグハウジング３１に保持される。図４に示すように、プラグハウジング３１の後方には、摺動部材保持部５１が形成されている。摺動部材保持部５１は、プラグハウジング３１の幅方向両端から延びる一対の突出部５１ａと、各々の突出部５１ａの先端から前記幅方向の中心に向かう突出部５１ｂとから構成される。この構成により、摺動部材保持部５１には、一部が開放されたガイド収容孔５２が形成される。また、突出部５１ｂには、突起５１１ｂが形成されている。
摺動部材保持部５１の上面（図４（ａ））には、一対のガイドコラム部５３が所定の間隔を隔てて形成されている。摺動部材６０がブラグハウジング３１に保持されると、このガイドコラム部５３は、摺動部材６０の挿通孔６６に挿入される。また、摺動部材保持部５１の下面の幅方向の両端には、傾斜体５４が形成されている。この傾斜体５４は、プラグコネクタ３０をリセプタクルコネクタ２０に完全に嵌合する過程で、リセクプタクルコネクタ２０に配設された検知体制御部２８ｂの押圧部２８３ｂと接触し、かつ押圧部２８３ｂを押圧する。傾斜体５４は、プラグコネクタ３０をリセプタクルコネクタ２０に嵌合した状態で、前記両端に向けて昇る傾斜面を備えている。
【００２５】
さて、摺動部材６０をプラグハウジング３１に保持させるには、摺動部材６０のガイド部６３がプラグハウジング３１のガイド収容孔５２に挿入できるように位置決めをする。この位置決めがなされると、摺動部材６０の両端に形成された一対のガイド部６２は、プラグハウジング３１の摺動部材保持部５１の幅方向両端に位置合わせされる。位置合わせされた状態で、摺動部材６０をプラグハウジング３１に向けて押し込む。その過程で、摺動部材６０の係合爪６５が、プラグハウジング３１の摺動部材保持部５１に形成された突起５１１ｂの先端を乗り越える。したがって、摺動部材６０に意識的に外力を加えない限り、摺動部材６０はプラグハウジング３１から離脱することがない。摺動部材６０は、プラグハウジング３１に対して、摺動可能に保持される。この摺動の方向は、リセプタクルハウジング２１へのプラグハウジング３１の挿抜方向に沿っている。そして、摺動部材６０の下方への移動は、ベース部６１がプラグハウジング３１（摺動部材保持部５１）の上面に当たることによって規制される。また、摺動部材６０の上方への移動は、ロックプレート部６４の先端に形成された係合爪６５がプラグハウジング３１の突起５１１ｂに当たることで規制される。
【００２６】
次に、図７〜図９に基づいて、コネクタ１０の特徴的な部分について説明する。この特徴的な部分とは、プラグコネクタ３０がリセプタクルコネクタ２０に完全に嵌合されたか否かを、摺動部材６０の位置によって検知できることである。なお、図７は嵌合が不完全な状態を示し、図８、図９は嵌合が完全な状態を示している。また、図７〜図９において、各々の（ａ）は側面図、（ｂ）は断面図である。
図７に示すように、プラグコネクタ３０のリセプタクルコネクタ２０への嵌合が不完全な場合、プラグハウジング３１の傾斜体５４は、ペグ２８の検知体制御部２８ｂの押圧部２８３ｂを押圧しない。したがって、検知体制御部２８ｂのビーム部２８１ｂは撓まず、検知体制御部２８ｂの係止突起２８２ｂは変位しない。係止突起２８２ｂがこの位置にあると、摺動部材６０を下方に押し込もうとしても、摺動部材６０のガイド部６２の先端が係止突起２８２ｂに当たってしまい、それ以上押し込むことができない。つまり、摺動部材６０のガイド部６２が所定領域へ移動するのを係止突起２８２ｂが阻止するために、作業者はプラグハウジング３１がリセプタクルハウジング２１に完全に嵌合されていないことを検知することができる。この場合、作業者はプラグハウジング３１をリセプタクルハウジング２１にさらに押し込んで、完全な嵌合を得ることになる。
【００２７】
図８は、リセプタクルハウジング２１に対する嵌合が完全な位置までプラグハウジング３１が押し込まれた状態を示している。この状態では、プラグハウジング３１の傾斜体５４が検知体制御部２８ｂの押圧部２８３ｂと接触し、かつ押圧部２８３ｂを押圧する。プラグハウジング３１は、検知体制御部２８ｂのビーム部２８１ｂの配設方向と平行な向きに押し込まれるが、押圧部２８３ｂが力を分配する機能を有している。したがって、検知体制御部２８ｂのビーム部２８１ｂは、リセプタクルハウジング２１の幅方向の中心に向けて撓む。その結果、検知体制御部２８ｂの係止突起２８２ｂが前記幅方向の中心に向けて変位してガイド部６２の移動進路から退避するために、摺動部材６０のガイド部６２が下方の所定領域に移動することができる。この所定領域は、リセプタクルハウジング２１の収容孔２７内に存在する。
この状態で摺動部材６０を押し込むと、係止突起２８２ｂが摺動部材６０のガイド部６２の移動を阻止しないので、図９に示すように、摺動部材６０を所定の下限位置まで押し込むことができる。このとき、摺動部材６０の係合爪６５とリセプタクルハウジング２１の係合突起４１とが係合する。これにより、作業者は、摺動部材６０が所定の位置まで押し込むこと、換言すれば、プラグハウジング３１がリセプタクルハウジング２１に完全に嵌合されたことを検知することもできる。また、摺動部材６０の係合爪６５とリセプタクルハウジング２１の係合突起４１とが係合することにより、プラグハウジング３１とリセプタクルハウジング２１との嵌合状態を維持することができる。
【００２８】
以上説明したコネクタ１０は、嵌合が完全か否かを検知する検知体として、摺動部材６０に代えて回転部材を用いることもできる。その例を図１０〜図１２に基づいて説明する。なお、図１０は嵌合が不完全な状態を示し、図１１、図１２は嵌合が完全な状態を示している。また、図１０〜図１２において、各々の（ａ）は側面図、（ｂ）は断面図である。
図１０（ａ）に示すように、リセプタクルハウジング２１に回転部材７０が取り付けられている。回転部材７０は、図１２（ｂ）に示すように、下端部に回転軸７１がある。この回転軸７１は、リセプタクルハウジング２１に形成された軸受け溝２１ｈに回転可能に支持されている（図１２（ｂ））。
プラグハウジング３１のリセプタクルハウジング２１への嵌合が不完全な場合、上述したのと同様に、係止突起２８２ｂは変位しない。係止突起２８２ｂがこの位置にあると、回転部材７０を半時計周りに回転させようとしても、回転部材７０と係止突起２８２ｂとが干渉してしまい、それ以上の回転を行うことができない。つまり、回転部材７０が予め定められた領域へ回転して移動するのを係止突起２８２ｂが阻止するために、作業者はプラグハウジング３１がリセプタクルハウジング２１に完全に嵌合されていないことを検知することができる。この場合、作業者はプラグハウジング３１をリセプタクルハウジング２１にさらに押し込んで、完全な嵌合を得ることができる。
【００２９】
図１１に示すように、リセプタクルハウジング２１と完全に嵌合する位置までプラグハウジング３１が押し込まれると、前述したように、検知体制御部２８ｂの係止突起２８２ｂが前記幅方向の中心に向けて変位する。そのために、図１２に示すように、回転部材７０の回転が許容され、回転部材７０の上部がプラグハウジング３１と係合される。これにより、作業者は、回転部材７０が所定領域まで回転して移動できたこと、換言すれば、プラグハウジング３１がリセプタクルハウジング２１に完全に嵌合されたことを検知することができる。また、回転部材７０の上部がプラグハウジング３１と係合することにより、プラグハウジング３１とリセプタクルハウジング２１との嵌合状態を維持することができる。なお、回転部材７０が移動すべき前記所定領域は、リセプタクルハウジング２１内に存在する。
【００３０】
＜第２の実施形態＞
以上説明したコネクタ１０（第１の実施形態）は、検知体制御部２８ｂを設けたが、このような部材を用いることなく本発明を実施することもできる。そのようなコネクタ１１０を図１３〜図１６に基づいて説明する。
図１３は、本実施の形態におけるコネクタ１１０の構成を示す図であり、リセプタクルコネクタ１２０とプラグコネクタ１３０とが分離された状態を示す斜視図である。
【００３１】
図１３に示すように、コネクタ１１０は、プリント配線板１１に固定されるリセプタクルコネクタ１２０と、このリセプタクルコネクタ１２０に結合可能なプラグコネクタ１３０とから構成される。リセプタクルコネクタ１２０、プラグコネクタ１３０の基本的な構成は、コネクタ１０と同様であるので、その説明は極力省き、以下では、コネクタ１１０の特徴的な部分を中心にして説明する。
【００３２】
図１３に示すように、リセプタクルハウジング１２１は、プラグコネクタ１３０を嵌合するための凹部１２５が形成されている。リセプタクルハウジング１２１の後方には、コラム部１２２が形成されている。このコラム部１２２は、リセプタクルハウジング１２１の幅方向の両側に形成されている。また、このコラム部１２２の上端付近に挿通孔１２３が形成されている。挿通孔１２３は、リセプタクルハウジング１２１の前後方向に貫通している。また、リセプタクルハウジング１２１の後方には、係合突起１２４が形成されている。係合突起１２４には、後述するプラグハウジング１３１の係合爪１３４が係合される。
【００３３】
プラグハウジング１３１には、その下面側に、リセプタクルハウジング１２１の凹部１２５に挿入される凸部１３５が形成されている。プラグハウジング１３１の幅方向両側面には、プラグハウジング１３１の前後方向に延びるガイドレール部１３２が形成されている。また、プラグハウジング１３１の後端には、ロックプレート部１３３が形成されている。ロックプレート部１３３の下端には、係合爪１３４が形成されている。プラグハウジング１３１がリセプタクルハウジング１２１に完全に嵌合されると、この係合爪１３４と係合突起１２４とが係合される。
【００３４】
プラグハウジング１３１には、摺動部材１６０が保持されている。摺動部材１６０には、プラグハウジング１３１の外周と同様の形状を有するガイド溝１６１が形成されている。このガイド溝１６１内にプラグハウジング１３１が配設されることにより、摺動部材１６０がプラグハウジング１３１に摺動可能に保持される。摺動部材１６０には、後方に突出するガイド部１６２が形成されている。ガイド部１６２は、摺動部材１６０の幅方向の両端に形成されている。プラグハウジング１３１がリセプタクルハウジング１２１に完全に嵌合されると、ガイド部１６２は挿通孔１２３に位置合わせされる。したがって、摺動部材１６０を後方に向けて移動させると、ガイド部１６２はリセプタクルハウジング１２１の挿通孔１２３へ挿入される。摺動部材１６０の上面には、押圧突起１６３が形成されている。この押圧突起１６３は、作業者が摺動部材１６０を移動させるときの操作性を向上するためのものである。
【００３５】
次に、図１４〜図１６に基づいて、コネクタ１１０の特徴的な部分について説明する。この特徴的な部分とは、プラグコネクタ１３０がリセプタクルコネクタ１２０に完全に嵌合されたか否かを、摺動部材１６０の位置によって検知できることである。なお、図１４は嵌合が不完全な状態を示し、図１５、図１６は嵌合が完全な状態を示している。また、図１４〜図１６において、各々の（ａ）は部分側断面図、（ｂ）は斜視図である。ただし、図１４は部分側断面図のみを示している。
図１４に示すように、プラグハウジング１３１のリセプタクルハウジング１２１への嵌合が不完全な場合、摺動部材１６０のガイド部１６２がリセプタクルハウジング１２１のコラム部１２２に形成された挿通孔１２３と位置合わせされていない。したがって、摺動部材１６０を後方に向けて移動させても、摺動部材１６０のガイド部１６２の先端がリセプタクルハウジング１２１のコラム部１２２の上部側面に衝突してしまう。このように、摺動部材１６０のガイド部１６２が所定領域である挿通孔１２３へ移動するのを、コラム部１２２が阻止することになり、作業者はプラグハウジング１３１がリセプタクルハウジング１２１に完全に嵌合されていないことを検知することができる。この場合、作業者はプラグハウジング１３１をリセプタクルハウジング１２１にさらに押し込むことになる。
【００３６】
図１５は、リセプタクルハウジング１２１に対する嵌合が完全な位置までプラグハウジング１３１が押し込まれた状態を示している。この場合、摺動部材１６０のガイド部１６２がリセプタクルハウジング１２１のコラム部１２２に形成された挿通孔１２３に位置合わせされる。したがって、図１６に示すように、摺動部材１６０を後方に向けて移動させると、ガイド部１６２が挿通孔１２３に挿入される。作業者は、摺動部材１６０をこのように移動できれば、プラグハウジング１３１がリセプタクルハウジング１２１に完全に嵌合されたことを検知することができる。また、ガイド部１６２が挿通孔１２３に挿入されることにより、プラグハウジング１３１とリセプタクルハウジング１２１との嵌合状態を維持することができる。
【００３７】
これ以外にも、本発明の主旨を逸脱しない限り、上記実施の形態で挙げた構成を取捨選択し、他の構成に適宜変更することが可能である。例えば、第１の実施形態において、摺動部材６０に相当する部材をリセプタクルコネクタ側に設け、検知体制御部２８ｂに相当する部材をプラグコネクタ３０に設けることもできる。
【図面の簡単な説明】
【００３８】
【図１】第１の実施形態におけるコネクタの構成を示す図であり、リセプタクルコネクタに対し、プラグコネクタを接続する前の状態を示す断面図である。
【図２】（ａ）はリセプタクルコネクタを示す斜視図であり、（ｂ）はリセプタクルハウジングを示す斜視図である。
【図３】ペグを示す斜視図である。
【図４】プラグハウジングを示す斜視図であり、（ａ）は上方かつ後方から見た図、（ｂ）は下方かつ前方から見た図である。
【図５】プラグコネクタ側のコンタクトを示す斜視図である。
【図６】プラグコネクタに保持される摺動部材を示す斜視図であり、（ａ）は後方から見た図、（ｂ）は前方から見た図である。
【図７】プラグコネクタがリセプタクルコネクタに不完全に嵌合している状態を示し、（ａ）は側面図、（ｂ）は断面図である。
【図８】プラグコネクタがリセプタクルコネクタに完全に嵌合している状態を示し、（ａ）は側面図、（ｂ）は断面図である。
【図９】図８の状態から摺動部材を下限位置まで押し下げた状態を示す図であり、（ａ）は側面図、（ｂ）は断面図である。
【図１０】第１の実施形態におけるコネクタの変形例を示す図であって、プラグコネクタがリセプタクルコネクタに不完全に嵌合している状態を示し、（ａ）は側面図、（ｂ）は断面図である。
【図１１】第１の実施形態におけるコネクタの変形例を示す図であって、プラグコネクタがリセプタクルコネクタに完全に嵌合している状態を示し、（ａ）は側面図、（ｂ）は断面図である。
【図１２】図１１の状態から回転部材を限界位置まで回転させた状態を示す図であり、（ａ）は側面図、（ｂ）は断面図である。
【図１３】第２の実施形態におけるコネクタの構成を示す図であり、リセプタクルコネクタに対し、プラグコネクタを接続する前の状態を示す斜視図である。
【図１４】プラグコネクタがリセプタクルコネクタに不完全に嵌合している状態を示す部分側断面図である。
【図１５】プラグコネクタがリセプタクルコネクタに完全に嵌合している状態を示し、（ａ）は部分側断面図、（ｂ）は斜視図である。
【図１６】図１５の状態から摺動部材を限界位置まで移動させた状態を示す図であり、（ａ）は部分側断面図、（ｂ）は斜視図である。
【符号の説明】
【００３９】
１０，１１０…コネクタ、
１１…プリント配線板、
２０，１２０…リセプタクルコネクタ、２１，１２１…リセプタクルハウジング、２１ａ，４１，１２４…係合突起、２１ｈ…軸受け溝、２２…コンタクト、２３，１２５…凹部、２７…収容孔、２８…ペグ、２８ａ…配線板固定部、２８ｂ…検知体制御部、２８１ｂ…ビーム部、２８２ｂ…係止突起、２８３ｂ…押圧部、１２２…コラム部、１２３…挿通孔、
３０，１３０…プラグコネクタ、３１，１３１…プラグハウジング、３２…コンタクト、３３，１３５…凸部、３５…プレート部、５３…ガイドコラム部、５４…傾斜体、１３２…ガイドレール部、１３３…ロックプレート部、１３４…係合爪、
６０，１６０…摺動部材、６１…ベース部、６２，６３，１６２…ガイド部、６４…ロックプレート部、６５…係合爪、６６…挿通孔、１６１…ガイド溝、１６３…押圧突起、
７０…回転部材、７１…回転軸、１００…電線
【図１】
2008192517.tif 000003
【図２】
2008192517.tif 000004
【図３】
2008192517.tif 000005
【図４】
2008192517.tif 000006
【図５】
2008192517.tif 000007
【図６】
2008192517.tif 000008
【図７】
2008192517.tif 000009
【図８】
2008192517.tif 000010
【図９】
2008192517.tif 000011
【図１０】
2008192517.tif 000012
【図１１】
2008192517.tif 000013
【図１２】
2008192517.tif 000014
【図１３】
2008192517.tif 000015
【図１４】
2008192517.tif 000016
【図１５】
2008192517.tif 000017
【図１６】
2008192517.tif 000018